(57)【要約】【課題】シャックル及び支持本体のサイズを変えずに、取付対象に設けた大径のネジ孔に取付けボルトで支持本体を取付けられる揺動連結具を提供する。【解決手段】シャックル５を支持本体１９に対して揺動自在に支持する揺動支持機構を設け、支持本体１９の取付ボルト１１はその両端部に互いに径の異なる第１オネジ部１と第２オネジ部２とを別々に形成した両ネジボルトから成り、第１オネジ部１と第２オネジ部２との間に、連続的に径が変化するボルト軸部３を形成し、ボルト軸部３を嵌合させて係止すると共に小径の前記第２ネジ部を貫通させるボルト孔１０を支持本体１９に設け、ボルト孔１０をボルト軸部３の外周面に対応して連続的に内径が変化する内面形状に形成し、ボルト孔１０に貫通した第２オネジ部２にナット６を螺合させて取付ボルト１１を抜け止め状態に支持本体１９に一体連結してある。【選択図】図１
2010266015.tif 000002
【特許請求の範囲】
【請求項１】
シャックルと、取付対象に取付ボルトで螺子止めが可能に構成された支持本体と、前記シャックルを前記支持本体に対して揺動自在に支持する揺動支持機構とを備え、
前記揺動支持機構を、前記シャックルの一対の脚部夫々に形成された連結用孔と、円滑な外周面を有した状態で前記支持本体に一体的に形成された一対の軸部とを嵌合させるとともに、前記脚部の前記軸部からの抜出しを阻止する抜け止め手段を設けてある揺動連結具であって、
前記取付ボルトはその両端部に互いに径の異なる第１オネジ部と第２オネジ部とを別々に形成した両ネジボルトから成り、
前記第１オネジ部と前記第２オネジ部との間に、それらの第１オネジ部から第２オネジ部にかけて連続的に径が変化するボルト軸部を形成し、
大径の前記第１オネジ部を取付対象物に対する連結部に構成すると共に、
前記ボルト軸部を嵌合させて係止すると共に小径の前記第２ネジ部を貫通させるボルト孔を前記支持本体に設け、
前記ボルト孔を前記ボルト軸部の外周面に対応して連続的に内径が変化する内面形状に形成し、
前記ボルト孔に前記ボルト軸部を嵌合させた状態で前記ボルト孔を貫通した前記第２オネジ部にナットを螺合させて前記取付ボルトを抜け止め状態に前記支持本体に一体連結し
てある揺動連結具。
【請求項２】
前記シャックルを前記取付ボルトに対してその軸心回りに相対的に回動自在に支持する回動支持機構を、前記取付ボルトと前記支持本体との間に設けてある請求項１に記載の揺動連結具。
【発明の詳細な説明】
【技術分野】
【０００１】
シャックルと、取付対象に取付ボルトで螺子止めが可能に構成された支持本体と、前記シャックルを前記支持本体に対して揺動自在に支持する揺動支持機構とを備え、
前記揺動支持機構を、前記シャックルの一対の脚部夫々に形成された連結用孔と、円滑な外周面を有した状態で前記支持本体に一体的に形成された一対の軸部とを嵌合させるとともに、前記脚部の前記軸部からの抜出しを阻止する抜け止め手段を設けてある揺動連結具に関する。
【背景技術】
【０００２】
従来の揺動連結具は、図５に示すように、一端側に回動操作用の拡径頭部１１Ａを設け、他端部に一種類のネジ径のオネジ部１１Ｂを設けた取付ボルト１１を、支持本体１９に形成したボルト孔に挿通させて取付対象にネジ止めすることで、シャックル５を支持本体１９を介して取付対象に揺動自在にとりつけられるようにするものがあった（例えば、特許文献１参照）。
【先行技術文献】
【特許文献】
【０００３】
【特許文献１】特開２００２−１５４７８１号公報（図１）
【発明の概要】
【発明が解決しようとする課題】
【０００４】
上述した従来の揺動連結具では、シャックル５にフックを係止して吊り上げることができるのであるが、取付対象にネジ止めする取付ボルト１１の径はシャックル５の一対の脚部５ａ間のサイズに応じて決まっているために、取付対象に予め形成してある大径のネジ孔に対応する大径の取付ボルト１１を取り付ける場合、その取付ボルト１１の径に対応した脚部５ａ間の大きいシャックル５を取り付けた支持本体１９を使用する必要があり、重く取り扱い性が悪く、しかも高価な物になるという問題点がある。
【０００５】
従って、本発明の目的は、シャックル及び支持本体のサイズを変えずに、取付対象に設けた大径のネジ孔に、取付けボルトで支持本体を取付けられる揺動連結具を提供するところにある。
【課題を解決するための手段】
【０００６】
本発明の第１の特徴構成は、シャックルと、取付対象に取付ボルトで螺子止めが可能に構成された支持本体と、前記シャックルを前記支持本体に対して揺動自在に支持する揺動支持機構とを備え、前記揺動支持機構を、前記シャックルの一対の脚部夫々に形成された連結用孔と、円滑な外周面を有した状態で前記支持本体に一体的に形成された一対の軸部とを嵌合させるとともに、前記脚部の前記軸部からの抜出しを阻止する抜け止め手段を設けてある揺動連結具であって、前記取付ボルトはその両端部に互いに径の異なる第１オネジ部と第２オネジ部とを別々に形成した両ネジボルトから成り、前記第１オネジ部と前記第２オネジ部との間に、それらの第１オネジ部から第２オネジ部にかけて連続的に径が変化するボルト軸部を形成し、大径の前記第１オネジ部を取付対象物に対する連結部に構成すると共に、前記ボルト軸部を嵌合させて係止すると共に小径の前記第２ネジ部を貫通させるボルト孔を前記支持本体に設け、前記ボルト孔を前記ボルト軸部の外周面に対応して連続的に内径が変化する内面形状に形成し、前記ボルト孔に前記ボルト軸部を嵌合させた状態で前記ボルト孔を貫通した前記第２オネジ部にナットを螺合させて前記取付ボルトを抜け止め状態に前記支持本体に一体連結してあるところにある。
【０００７】
本発明の第１の特徴構成によれば、取付ボルトを両ネジボルトにして、小径の第２オネジ部を従来の取付ボルトと同径にして支持本体のボルト孔に貫通させてナットを螺合することで、支持本体及びシャックルのサイズを変更することなく支持本体に取付ボルトを装着できる。そのために、全体が重量化するのを防止又は抑制することができ、取扱い性を良好に維持できる。
そして、第１オネジ部を、第２ボルトとは互いに異なった径にすることにより、取付対象の大径のボルト孔に螺合できる対応した径の連結部にすることができる。
しかも、例えば互いに径の異なる第１オネジ部と第２オネジ部との間に段差部がある場合は、揺動自在に支持本体に支持してあるシャックルにフックを係止して、取付ボルトに対してその軸心に交差する方向から引っ張って、取付対象を吊り上げようとする時に、取付ボルトに作用する曲げ力が前記段差部に応力集中して、破断しやすくなるものであるが、本発明は、第１オネジ部から第２オネジ部にかけて連続的に径が変化するボルト軸部を形成し、前記ボルト孔を前記ボルト軸部の外周面に対応して連続的に内径が変化する内面形状に形成してあるために、ボルト軸部には、特に応力が集中しやすい切欠き状の段差部ばかりか、単に径の異なる段差もないために、揺動自在に支持本体に支持してあるシャックルにフックを係止して、取付ボルトに対してその軸心に交差する方向から引っ張って、取付対象を吊り上げようとする時に、ボルトに作用する曲げ応力は、一部に集中せずに分散されて支持本体に伝達される。
従って、取付ボルトの強度を落とすことなくシャックルを使って取付対象を吊り上げることができる。
【０００８】
本発明の第２の特徴構成は、前記シャックルを前記取付ボルトに対してその軸心回りに相対的に回動自在に支持する回動支持機構を、前記取付ボルトと前記支持本体との間に設けてあるところにある。
【０００９】
本発明の第２の特徴構成によれば、本発明の第１の特徴構成による上述の作用効果を叶えることができるのに加えて、シャックルの姿勢をあらゆる引っ張り方向に対応させることができ、より使い勝手に優れる利点がある。
【図面の簡単な説明】
【００１０】
【図１】本発明の揺動連結具の一部切欠き正面図である。
【図２】本発明の揺動連結具の側面図である。
【図３】本発明の揺動連結具の分解斜視図である。
【図４】別実施形態の揺動連結具の一部切欠き正面図である。
【図５】従来の揺動連結具の一部切欠き正面図である。
【発明を実施するための形態】
【００１１】
以下に本発明の実施の形態を図面に基づいて説明する。
図１、図２に組付け状態の揺動連結具Ｂが、かつ、図３に分解斜視図が夫々示されている。
【００１２】
この揺動連結具は、シャックル５と、取付対象に取付ボルト１１で螺子止めが可能に構成された支持本体１９と、シャックル５を支持本体１９に対して揺動自在に支持する揺動支持機構とを備え、シャックル５の一対の脚部５ａ夫々に形成された連結用孔と、円滑な外周面を有した状態で支持本体１９に一体的に形成された一対の軸部１４とを嵌合させるとともに、脚部５ａの軸部１４からの抜出しを阻止する抜け止め手段Ｓを設けて揺動支持機構を構成してある。
【００１３】
前記取付ボルト１１は、互いに径の異なる大径の第１オネジ部１と、小径の第２オネジ部２とを両端部に別々に形成した両ネジボルトから成り、第１オネジ部１と第２オネジ部２との間に、それらの第１オネジ部１から第２オネジ部２にかけて連続的に径が変化するボルト軸部３を形成し、大径の第１オネジ部１を取付対象物に対する連結部に構成すると共に、ボルト軸部３を嵌合させて係止すると共に小径の第２ネジ部を貫通させるボルト孔１０を支持本体１９に設け、ボルト孔１０をボルト軸部３の外周面に対応して連続的に内径が変化する内面形状に形成し、ボルト孔１０にボルト軸部３を嵌合させた状態でボルト孔１０を貫通した第２オネジ部２にナット６を螺合させて取付ボルト１１を抜け止め状態に支持本体１９に一体連結してある。
【００１４】
逆Ｕ字状のシャックル５は、図３に示す直線状のシャックル５用両頭ロッド５Ｒを熱間（又は常温下）で曲げ加工することによって形成されるものであり、その曲げ加工時に連結用孔１５を軸部１４に嵌合させる工程も行われる。つまり、シャックル５は嵌め殺し的に軸部１４に嵌合されていて、通常では抜け出ることはないが、シャックル５に相当な引張り荷重が作用する等によって、シャックル５が開き変形するおそれがある。そこで、軸部１４に形成された螺子穴１４ａにビス１６止めされたワッシャ１７を設けて、脚部５ａの軸部１４からの抜出しを阻止する前記抜け止め手段Ｓを構成してある。
【００１５】
螺子穴１４ａ及びその下穴は、それらの最奥部が軸部１４の付け根端迄には達していないので、シャックル５からの荷重によるせん断力を受ける箇所である軸部１４の最付け根部では、断面積が縮小されることが回避されており、この点からもせん断力アップに寄与している。
【００１６】
前記支持本体１９は、ボルト孔１０を内側に形成するボス部材７とそのボス部材７を内嵌するトラニオン１３からなり、ボス部材７に対してトラニオン１３がボルト軸心に沿う縦軸心Ｘ回りで回動自在に嵌装して、シャックル５を取付ボルト１１に対してその軸心回りに相対的に回動自在に支持する回動支持機構に構成してある。
【００１７】
前記ボス部材７は、下側ほど拡径したラッパ状のボルト孔１０付きの下ボス７Ａと、ボルト孔１０付き蓋状の上ボス７Ｂとの圧入的な嵌合連結によって構成されており、取付対象６に第１オネジ部１で螺子止め自在な取付けボルト１１の第２オネジ部２とボルト軸部３とを、両ボルト孔１０を貫通して装備され、ナット６を第２オネジ部２に螺合させて取付ボルト１１が支持本体１９から抜けないようにしてある。
なお、ナット６が第２オネジ部２から緩んで抜け出すのを防止するために、抜け止めピン４が第２オネジ部２でその径方向に沿って形成したピン孔１２に、挿脱自在に差し込んである。
【００１８】
〔別実施形態〕
以下に他の実施の形態を説明する。
〈１〉  第１オネジ部１の径及びその径に対応したボルト孔１０は、第２オネジ部２との組み合わせにおいて変更可能であり、取付対象に形成された既製のボルト孔１０に適合するものを形成すれば良い。
〈２〉  ボス部材７は、下ボス７Ａと上ボス７Ｂとを圧入して嵌合連結させずに、図４に示すように、単に接当させるだけにすれば、簡単にボス部材７を分解して、第１オネジ部１の径と第２オネジ部の径の組み合わせの異なる取付ボルト１１に対応したボス部材７に、交換することができるようにしても良い。
〈３〉  前記ナット６に対する抜け止めピン４は、ナット６及び第２オネジ部２に共に貫通するピン孔を設けて、そのピン孔に挿入してナット６の回り止めも具備させる構成でも良い。
〈４〉  前記ボス部材７は、支持本体１９をボルト軸心回りに回動支持しやすくするために設けてあるが、ボス部材７を設けずに、トラニオン１３に直接取付ボルト１１を挿通させるボルト孔を設けてあっても良い。
【００１９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２０】
１      第１オネジ部
２      第２オネジ部
３      ボルト軸部
５      シャックル
５ａ    脚部
６      ナット
１０    ボルト孔
１１    取付ボルト
１４    軸部
１９    支持本体
Ｓ      抜け止め手段
【図１】
2010266015.tif 000003
【図２】
2010266015.tif 000004
【図３】
2010266015.tif 000005
【図４】
2010266015.tif 000006
【図５】
2010266015.tif 000007